(57)【特許請求の範囲】
【請求項１】
アウター電力制御ループ（１０２）を具備し、スペクトル拡散移動通信システムで使用される電力制御ループシステム（１００）であって、当該システム（１００）は、
測定された品質パラメータと目標品質パラメータを比較し、提案された対干渉信号比率（ＳＩＲ）目標調整値を作成する第一の比較器（１０４）と、
当該第一の比較器に接続され、ＳＩＲエラー値と当該提案されたＳＩＲ目標調整値からＳＩＲ目標調整値を作成する第一の発生器（１０８）と、
現在のＳＩＲ目標値と達成されたＳＩＲ値を比較し、当該ＳＩＲエラー値を作成する第二の比較器（１１２）と、
当該第一の発生器及び第二の比較器に接続され、少なくとも部分的に当該ＳＩＲ目標調整値と前に算出されたＳＩＲ目標値に基づき、新規のＳＩＲ目標値を作成する第二の発生器（１１４）からなる電力制御ループシステム。
【請求項２】
上記第一の比較器の入力に接続され、上記測定された品質パラメータを作成するエラー率測定器をさらに具備する請求項１に記載の電力制御ループシステム（１００）。
【請求項３】
上記測定された品質パラメータは、測定されたフレームエラー率であることを特徴とする請求項２に記載の電力制御ループシステム（１００）。
【請求項４】
上記測定された品質パラメータ、目標品質パラメータ、及び提案されたＳＩＲ目標調整値は、測定されたフレームエラー率、目標フレームエラー率、及びフレームエラー率エラーからそれぞれなることを特徴とする請求項１に記載の電力制御ループシステム（１００）。
【請求項５】
上記第二の発生器（１１４）に接続されたインナー電力制御ループ（１１８）をさらに具備し、当該インナー電力制御ループ（１１８）は、上記新規なＳＩＲ目標値を受信し、上記新規なＳＩＲ目標値と上記達成されたＳＩＲ値の差異に対応して電力調整を開始するように設計されていることを特徴とする請求項１に記載の電力制御ループシステム（１００）。
【請求項６】
上記インナー電力制御ループ（１０２）に使用される上記達成されたＳＩＲ値は、上記第二の比較器に使用される上記達成されたＳＩＲ値からなることを特徴とする請求項５に記載の電力制御ループシステム（１００）。
【請求項７】
上記スペクトル拡散移動通信システムは、符号分割多元接続（ＣＤＭＡ）セルラシステム又は広帯域ＣＤＭＡ（ＷＣＤＭＡ）セルラシステムからなることを特徴とする請求項１に記載の電力制御ループシステム（１００）。
【請求項８】
スペクトル拡散移動通信システムで使用される電力制御ループ装置であって、当該装置は、
提案された対干渉信号比率（ＳＩＲ）目標調整値及びＳＩＲエラー値を受信する手段（１０８）であって、当該ＳＩＲエラー値は、達成されたＳＩＲ値と現在のＳＩＲ目標値の比較から導き出されることを特徴とする手段と、
少なくとも部分的に、当該提案されたＳＩＲ目標調整値とＳＩＲエラー値とから手段（１０８）により作成されたＳＩＲ目標調整値と前に算出されたＳＩＲ目標値に基づき、新規のＳＩＲ目標値を作成する手段（１１４）を特徴とする電力制御ループ装置。
【請求項９】
測定された品質パラメータ及び目標品質パラメータから上記提案されたＳＩＲ目標調整値を作成する手段をさらに具備する請求項８に記載の電力制御ループ装置。
【請求項１０】
上記測定された品質パラメータ及び目標品質パラメータは、測定されたフレームエラー率、目標フレームエラー率からそれぞれなることを特徴とする請求項９に記載の電力制御ループ装置。
【請求項１１】
上記作成する手段に接続され、上記新規なＳＩＲ目標値と上記達成されたＳＩＲ値の差異に対応して電力調整を開始するインナー電力制御ループ（１１８）をさらに具備することを特徴とする請求項８に記載の電力制御ループ装置。
【請求項１２】
上記スペクトル拡散移動通信システムは、ＣＤＭＡセルラシステム又はＷＣＤＭＡセルラシステムからなることを特徴とする請求項８に記載の電力制御ループ装置。
【請求項１３】
スペクトル拡散移動通信システムで使用される電力制御方法であって、当該方法は、
測定された品質パラメータと目標品質パラメータを比較し、提案された対干渉信号（ＳＩＲ）目標調整値を作成するステップと、
ＳＩＲエラー値と当該提案されたＳＩＲ目標調整値からＳＩＲ目標調整値を作成するステップと、
現在のＳＩＲ目標値と達成されたＳＩＲ値を比較し、当該ＳＩＲエラー値を作成するステップと、
少なくとも部分にＳＩＲ目標調整値及び前に算出されたＳＩＲ目標値に基づいて新規なＳＩＲ目標値を作成するステップを特徴とする電力制御方法。
【請求項１４】
受信信号のエラー率を見積もり、上記測定された品質パラメータを作成するステップを更に具備する請求項１３に記載の電力制御方法。
【請求項１５】
上記測定された品質パラメータは、測定されたエラー率又は測定されたフレームエラー率であることを特徴とする請求項１４に記載の電力制御方法。
【請求項１６】
上記測定された品質パラメータ、目標品質パラメータ、及び提案されたＳＩＲ目標調整値は、測定されたフレームエラー率、目標フレームエラー率、及びフレームエラー率エラーからそれぞれなることを特徴とする請求項１３に記載の電力制御方法。
【請求項１７】
上記更新ＳＩＲ目標値と上記達成されたＳＩＲ値の差異に対応して電力調整を開始するステップと、実施されたインナー電力制御ループを開始するステップからさらになることを特徴とする請求項１３に記載の電力制御方法。
【請求項１８】
上記スペクトル拡散移動通信システムは、ＣＤＭＡセルラシステム又はＷＣＤＭＡセルラシステムからなることを特徴とする請求項１３に記載の電力制御方法。
【発明の詳細な説明】
【０００１】
【発明の属する技術分野】
本発明は、概して、移動通信分野、特に、スペクトル拡散又は符号分割多元接続（ＣＤＭＡ）セルラ通信システムにおける送信電力レベルの制御方法に関する。
【０００２】
【従来の技術及び発明が解決しようとする課題】
広帯域スペクトル拡散セルラ通信システム（しばしば広帯域-ＣＤＭＡ又はＷＣＤＭＡシステムと称される）においては、電力制御記号を定期的に伝送し、フェージングやシャドウイング等のチャネルに影響を及ぼす状態変化から発生する効果を補正している。例えば、基地局は、電力制御指示を対応する移動局へ転送し、当該移動局の送信電力レベルを上昇又は低下させるよう信号を送信することができる。移動局は、このように受信した電力制御指示に従って、送信電力レベルの増減を決定することができる。
【０００３】
従って、ＣＤＭＡシステムで使用する電力制御アルゴリズムについては、全ての移動ユーザのためのデータチャネルについて折衝品質が維持されるように設計することが重要である。基本的には、既存のシステムで使用する原則的な電力制御アルゴリズムは、２つの入れ子状態になった制御ループを用いていずれの接続でもこの能力が発揮されるように設計されている。アウター（より遅い）電力制御ループは、インナー（より速い）閉電力制御ループにおいて使用される干渉に対する信号転送比率（transmit signal-to-interference ratio. 以下、ＳＩＲという）又は雑音に対する信号転送比率（transmit signal-to-noise ratio 以下、ＳＮＲという）目標値を管理し、実際のサービス質（Quality of Service. 以下、ＱｏＳという）を折衝ＱｏＳに近くする。インナー電力制御ループは、順方向通信チャネルのＳＩＲを推定し、推定ＳＩＲとＳＩＲ目標値を比較し、この比較結果に基づいて電力制御指示を逆方向通信チャネルで転送し、順方向通信チャネルの送信機にその送信電力レベルの増減を「勧告」する。典型的には、アップリンク及びダウンリンク通信双方に同様の電力制御の原則を適用することができる。
【０００４】
従来のインナー電力制御ループは、（典型的には、ＷＣＤＭＡシステムの場合）１秒あたり１６００回の割合で取得できるＳＩＲ測定に基づいて機能するように設計されている。従来のアウター電力制御ループは、１秒あたり平均１回の割合で取得できるＱｏＳ値に基づいて機能するように設計されている。典型的には、このＱｏＳ値は、フレームエラー率（ＦＥＲ）、ビットエラー率（ＢＥＲ）、パケット遅延、又は音声質指標（ＳＱＩ）の形で表示されている。従って、これらＱｏＳ値は、上記に表示したように１秒あたり１回の割合で所得できるか、又は、１符号ブロックあたり１回の割合で（典型的には、１秒に５０乃至１００回の割合で）取得することができる。しかしながら、これらＱｏＳ値の測定については、統計的に信頼できる結果を得る必要から、かなりの期間に渡って蓄積されるべきである。
【０００５】
既存のアウター電力制御ループは、サービスの変更（伝送データ率の変化等）によって適切な変化が分かった場合、ＳＩＲ目標値をより早期に更新することができる。これについて、図１（ａ）及び図１（ｂ）は、既存のアウター電力制御ループがチャネル環境の変化又は既知のサービスの変化に対し（ＳＩＲ目標値を更新することによって）どのように対応するかを図解した図面である。これらの図から分かるように、電力制御を適切に実施するよう設計するためには、アウター電力制御ループは、インナー電力制御ループが実際のＳＩＲに対応し、変更させることができるよりも速くＳＩＲ目標値を更新することはできない。これにより、実際のＳＩＲが常時確実にＳＩＲ目標値のほぼ後に続くこととなる。
【０００６】
上記に記載の電力制御方法によると、重大な問題が発生する。様々な多くの理由のため、インナー電力制御ループは、アウター電力制御ループがＳＩＲ目標値を変更できる速度でＳＩＲ目標値に達成できない場合がある。この問題は、制御ループの帯域幅又は送信機の出力幅に限界がある場合、発生し得る。この問題の理由の１つには、使用中のアウター電力制御ループがＱｏＳ見積もりのためにＱｏＳ値以外のパラメータを使用し、折衝ＱｏＳに高率で続くために調整を受ける場合があることが挙げられる。例えば、当該パラメータとしては、多くの符号ブロックに関する未加工ＢＥＲの平均的で標準的な偏差、又は関連通信チャネルのキャラクタリゼーション等が挙げられる。通信チャネルにおける干渉レベルは、不連続データ又は音声通信における突然の変更に影響を受ける場合がある。従って、インナー電力制御ループより速いアウター電力制御ループ及び急激に変化する通信チャネルの影響によってチャネルにおける実際に達成されるＳＩＲとＳＩＲ目標値の間に重大な差異が生じる。
【０００７】
インナー電力制御ループがＳＩＲ目標値を達成できない更なる理由は、電力制御機能とその他のシステム管理機能（例えば、アドミッション管理や混雑管理）の相互作用に関係している。例えば、ダウンリンクにおいて、取り込み量過多や混雑状況のために、基地局の送信機がその出力レベルを制限することを要求される場合がある。同様に、システム管理主体は、新規ユーザにアクセスを許可した、又は、ユーザのデータ率を変更した結果、伝送されるべきデータの全容量の変更を希望する場合がある。
【０００８】
上記に説明した問題が発生する結果、既存のインナー電力制御ループは、実際のＳＩＲを所望のＳＩＲ目標値に維持することができず、アウター電力制御ループは、当該不能状況をＳＩＲ目標値の更なる上昇によって補正しようとする。しかしながら、インナーループが折衝ＱｏＳを満足させる実際のＳＩＲに達成した、又は、システムが取り込み量を減少させることができた理由でこれらの状況が異なる場合、ＳＩＲ目標値は、既に適正値以上に更新されているであろう。これらの状況では、インナー電力制御ループは、アウター電力制御ループが正確に調整するまで、順方向チャネルにおける電力レベルをこの「誤った」目標値に向けて上昇させようとする。
【０００９】
図２は、ＳＩＲ値がＱｏＳパラメータのみに制御されている場合の過剰制御による振幅及びシステムの高度取り込みを図解している。図２から分かるように、ＱｏＳが範囲外となった場合にＳＩＲ目標値は変化せず、伝送された電力が制限された場合、折衝ＱｏＳは達成不可能となる。しかしながら、後述するように、本発明によると、当該及びその他関連する問題を解決することができる。
【００１０】
【課題を解決するための手段】
スペクトル拡散又はＣＤＭＡ移動通信システムで使用され、達成されたＳＩＲの推定値がアウター電力制御ループ機能（１０８）の更なるパラメータとして使用される送信電力制御方法及びシステムを提供する。ＱｏＳ及び達成ＳＩＲ双方が低い場合、ＱｏＳを無視し、代わりに達成ＳＩＲをＳＩＲ目標値調整のために使用する。同様に、ＱｏＳ及び達成ＳＩＲ双方が高い場合、ＱｏＳを無視し、代わりに達成ＳＩＲをＳＩＲ目標値調整のために使用する。
【００１１】
本発明の技術的に重要な利点は、送信機の電力制限が原因でＳＩＲ目標値が無限に振幅することなくアウター電力制限ループの適応度を増加させることが可能な点にある。
【００１２】
本発明の更なる技術的に重要な点は、電力制御システム及び方法が通信ネットワーク上のノードに完全に含まれており、更なる信号の送受信が不要である点である。
【００１３】
本発明の他の技術的に重要な点は、当該電力制御方法及びシステムによって、移動局が混雑状況の後の基地局からの送信済電力を徐々に増加させるように要求し、以って、全て送信済電力が急激に増加することを防止し、更には、再び混雑状態が発生するのを確実に防止できるという点にある。
【００１４】
従って、本発明の目的の一つは、インナー電力制御ループがアウター電力制御ループがＳＩＲ目標値を更新するのと同じ速度でＳＩＲに達成することができないことから生じる上記の問題を完全に解決する電力制御体系を提供することである。
【００１５】
【発明の実施の形態】
本発明に係る方法及び装置は、添付図面とともに以下の詳細な説明を参照すれば完全に理解されるであろう。
【００１６】
本発明の好適な実施態様及びそれが有する利点は、図１（ａ）乃至８、例えば、それら図面の類似又は対応部分について使用されている番号等を参照すれば最も理解することができる。
【００１７】
基本的には、本発明の好適な実施態様は、スペクトル拡散又はＣＤＭＡ移動通信システムで使用される送信電力制御方法及びシステムを提供し、ここでは、実際に達成したＳＩＲの推定（又はフィルタード・ヴァーション）がアウター電力制御ループ機能のための更なるパラメータとして使用される。ＱｏＳ及び達成ＳＩＲが共に低すぎる場合、ＱｏＳは無視され、代わりに達成ＳＩＲによってＳＩＲ目標値が調整される。同様に、ＱｏＳ及び達成ＳＩＲが共に高すぎる場合、ＱｏＳは無視され、代わりに達成ＳＩＲによってＳＩＲ目標値が調整される。
【００１８】
ＱｏＳ及び達成ＳＩＲが共に同時に高過ぎるか、あるいは低過ぎる期間中、アウターループは、ＳＩＲ目標値を、より低率にするか、定率に維持するか（図３参照）、又は、アウターループがＱｏＳのみに応答していた場合に変化していたであろう状態と反対の傾向に（図４参照）変化させることができる。例えば、図３で示したように、ＳＩＲ目標値は、ＱｏＳパラメータ及びＳＩＲ目標値と実際の達成ＳＩＲの差異によって調整されている。本発明の好適な実施態様によると、インナーループがＳＩＲ目標値に達成できない場合、ＳＩＲ目標値は、変更されない。結果として、余分に高レベルの電力が伝送されることはない。同様に、図４に示すように、ＳＩＲ目標値は、ここでもＱｏＳパラメータ及びＳＩＲ目標値と実際の達成ＳＩＲの差異によって調整されている。特に、ＳＩＲの増加が予定されているということは、ＱｏＳが非常に低いことを意味し、逆の場合も同様である。当該好適な実施態様によると、インナーループがＳＩＲ目標値に達成できない場合、ＳＩＲ目標値は、達成ＳＩＲの方向へ変更される。この場合、余分な高レベルの電力が伝送されることはなく、送信電力レベルの制限が撤回された後、インナーループは、徐々に作動を始める。
【００１９】
他方で、設計上考慮すれば、ＱｏＳが極度に低い又は高い場合のＳＩＲ目標値を制御する方法を違ったものにすることができる。送信済電力レベルを常時低度に維持するため、アウターループは、例えば、ＱｏＳ及び達成ＳＩＲが共に極度に高度である場合にはＳＩＲ目標値を定率とし、ＱｏＳ及び達成ＳＩＲが共に極度に低度である場合にはＳＩＲ目標値をより低下させることができる。このアプローチにおいては、最大伝送制限状態後、送信出力レベルは徐々に上昇させる。しかし、最小電力制限状況後は、送信済電力レベルは急激に減少する。
【００２０】
特に、図５（ａ）には、例えばダウンリンク中での本発明の好適な実施態様に利用することができる電力制御ループシステムの一例１００に関するブロック図を示した。例示的な当該電力制御システム１００は、基地局又は移動局で実施することができる点に留意していただきたい。一例として示す意図のみとしてであるが、図示した電力制御システム１００は、スペクトラム拡散又はＣＤＭＡセルラシステムの移動局でソフトウェア及び／又はハードウェアとして実施することができる。従って、アウター電力制御ループ１０２には、アウターループアルゴリズム１０４が含まれ、順方向（ダウンリンク）データチャネルからＱｏＳパラメータを受信する。例示したアウターループアルゴリズムは、本発明を実施するために利用することができ、図６（ａ）、６（ｂ）、７及び８を参照しながら下記で詳述する。アウターループアルゴリズム１０４は、提案ＳＩＲ目標調整値を出力し、これは、関数発生器１０８に入力される。
【００２１】
順方向通信チャネル上で測定された現実に達成されたＳＩＲの情報は、フィルタ１１０が受信する。基本的に、フィルタ１１０は、ＳＩＲ目標値の最終更新時からの経過期間の現実に達成されたＳＩＲ情報の平均を計算する。フィルタ１１０は、例えばＩＩＲフィルタ、ＦＩＲフィルタ、又は、ＳＩＲ目標値の調整時にリセットされるアキュムレータと共に作動することができる。フィルタ１１０の出力は、加算器１１２へとつながり、ここでは、現在のＳＩＲ値（のマイナス）を現実に達成されたＳＩＲへ代数的に加算し、ＳＩＲエラー値を割り出す。関数発生器１０８では、ＳＩＲ目標調整値が発生し、これは、提案ＳＩＲ目標調整値とＳＩＲエラー値の合計の関数（ｆｃｎ）である。加算器１１４と遅延要素１１６を結合して積分器が形成され、ＳＩＲ目標調整値を積分して、上記のＳＩＲ目標値を算出する。換言すれば、アウターループアルゴリズム１０４（その他同様のアウターループアルゴリズム）においては、調整値がＳＩＲ目標値へ付加される。従って、調整値を前に計算されたＳＩＲ目標値に加算し、希望する傾向へＳＩＲ目標値を操作する。特定の使用されるアウターループアルゴリズムによって、各フレーム、各所定数のフレーム、又は各可変数のフレームについて調整値を計算することができる。
【００２２】
第三の加算器１２０を含んだ（例えばダウンリンクでの）閉インナー電力制御ループ１１８の一部が示されている。順方向通信チャネル（ダウンリンク）から受信した現実に達成されたＳＩＲは、アウター電力制御ループ１０２からの（負の）ＳＩＲ目標値に加算され（１２０）、ＳＩＲ差異値が算出される。移動局（図示せず）は、逆方向（アップリンク）通信チャネルによってＳＩＲ差異値を対応基地局（図示せず）へ送信する。
【００２３】
図５（ｂ）は、図５（ａ）に示したアウター電力制御ループ１０２におけるアウター電力制御ループ関数、ｆｃｎ（１０８）の作成の一例を図示した図である。上記で説明したように、ＳＩＲ目標調整信号は、提案ＳＩＲ目標調整値とＳＩＲエラー値の関数であるｆｃｎによって調整される。基本的に、上記で述べたように、ＳＩＲの増加が提案されている場合は、ＱｏＳが極度に低いことを意味し、その逆の場合も同様である。図５（ｂ）で示するように、ＳＩＲエラー値がゼロに近い場合、アウターループ１０２は、質管理ループとして機能する。つまり、ＱｏＳが低すぎるときは、ＳＩＲ目標値を上昇させ、ＱｏＳが高すぎるときは、ＳＩＲ目標値を低下させる。現実に達成されたＳＩＲ目標値がＳＩＲ目標値を上回る一方でＱｏＳの値が低すぎる場合、又は、現実に達成されたＳＩＲがＳＩＲ目標値を下回る一方でＱｏＳの値が高すぎる場合、アウターループ１０２は、同様な態様で動作する。換言すれば、ＳＩＲ目標値は、図５（ｂ）によって占めされたＩ及びＩＩＩの領域においてＱｏＳによって調整される。
【００２４】
図５（ｂ）で示した領域ＩＩ及びＩＶを見ると、インナーループ１１８は、現実に達成されたＳＩＲを目標ＳＩＲの近似範囲に調整することができなかったことが読み取れる。例えば、領域ＩＩから分かるように、ＱｏＳは、高すぎて、ＳＩＲ目標値は、定量に維持されている。このため、インナーループ１１８は、当該インナーループへの制限が解除された場合できるだけ速やかに送信済電力レベルを低下させる。しかしながら、領域ＩＶから明らかなように、出力電力は、現実に達成されたＳＩＲとＱｏＳが共に低値である状態の後、インナーループに対する制限が解除された場合、アウターループの速度で徐々に増加する。
【００２５】
図６（ａ）は、本発明の好適な実施態様によると、図５（ａ）で示されたアウターループアルゴリズム１０４の作成でも使用することができる（関数表示の）アウターループアルゴリズム２０４の一例を示すブロック図である。基本的に、アウターループアルゴリズム１０４又は２０４は（及び同様のアルゴリズム）は、エラーマーク列（例えば、受信されたデータの巡回冗長検査、つまりＣＲＣが成功したか否かを表示）及びＱｏＳ目標値を受信する機能を有する。データチャネルからの入力統計には、順方向エラー訂正検出器及び／又はその他の質推定情報に基づくＢＥＲ推定を含むことができる。本発明の実施態様によると、使用されるアウターループアルゴリズムは、提案ＳＩＲ目標調整値を作成する。従来のアルゴリズムでは、提案ＳＩＲ目標調整値を実際のＳＩＲ目標調整値として使用している。また、本発明の実施態様は、実際のＳＩＲ目標値を決定するためにＳＩＲエラーも使用する。
【００２６】
特に、図６（ａ）を参照すると、例示したアウターループアルゴリズム２０４は、フレームエラー検出器２０６が含まれており、（例えば、データチャネルから受信したエラーマーク列から）フレームエラー発生の有無を検出する。フレームエラー検出器の出力は、ＦＥＲ推定器２０８の入力に対応し、これは、可変又は所定のある期間のＦＥＲを推定する。推定ＦＥＲ値（２０８）は、（負の）ＦＥＲ目標値（例えば、ＱｏＳ目標値）に代数的に加算され、ＦＥＲエラー値を作成する。加算器２１０からのＦＥＲエラーは、マッパー２１２の入力に対応し、（データベースのテーブルを使用して）入力ＦＥＲエラー値の提案ＳＩＲ目標調整値へのマッピングを行う。アウターループアルゴリズム２０４に対する異なるマッピング関数について三例（ａ、ｂ、ｃ）を図６（ｂ）に挙げている。
【００２７】
図７には、図５（ａ）で表示されたアウターループアルゴリズム１０４の実行に使用することができる第二の例示的方法３００を図示するフローチャートが図示されている。図７から分かるように、フレームエラー検出器３０２（図６（ａ）における２０６）がステップ３０４においてフレームエラーが発生したと判断した場合、アウターループアルゴリズム１０４の出力（提案ＳＩＲ目標調整値）は、ＫΔに等しくなる（ここで、入力ＦＥＲ目標値は、１／（Ｋ＋１）に等しい）。反対に、ステップ３０４で、フレームエラーが全く検出されなかった場合、アウターループアルゴリズム１０４の出力は、−Δに等しくなる。
【００２８】
図８は、図５（ａ）で表示されたアウターループアルゴリズム１０４の実行に使用することができる第三の例示的方法４００を図示するフローチャートである。同図から分かるように、フレームエラー検出器４０２（図６（ａ）における２０６）がステップ４０４においてフレームエラーが発生したと判断した場合、アウターループアルゴリズム１０４の出力（提案ＳＩＲ目標調整値）は、＋Δに等しくなる（ここで、入力ＦＥＲ目標値は、１／（Ｎ＋Ｎ／２）に等しい）。反対に、ステップ４０４において、フレームエラーが全く検出されなかった場合、ステップ４０６で、フレームエラー検出器４０２は、連続したＮ個の訂正フレームがあるか否かを判断する。そうである場合は、ステップ４０６で、アウターループアルゴリズム１０４の出力は、−Δに等しくなる。反対に、ステップ４０６で、連続したＮ個の訂正フレームがないと判断した場合、提案ＳＩＲ目標調整値は、ゼロに等しくなる。
【００２９】
本発明の好適な実施態様及び本発明の装置を添付図面にて図示し、詳細な説明によって説明してきたが、本発明がこれら開示した実施例に限定されず、且つ、本書に添付の特許請求の範囲から画定される本発明の精神を逸脱することなく、何通りにも渡り再配列、調整及び変更することができることは理解されるであろう。
【図面の簡単な説明】
【図１】  図１（ａ）は、チャネル環境の変化又は既知のサービス変化に対して既存のアウター電力制御ループがＳＩＲ目標値を変更させることによってどのように対応するかを図示するものである。
図１（ｂ）は、チャネル環境の変化又は既知のサービス変化に対して既存のアウター電力制御ループがＳＩＲ目標値を変更させることによってどのように対応するかを図示するものである。
【図２】  目標ＳＩＲがＱｏＳパラメータのみによって制御されている既存の電力制御ループについて、過剰制御による振幅及びシステムの高度取り込みを図示している。
【図３】  本発明の好適な実施態様による場合のＱｏＳパラメータによって制御されるＳＩＲ目標値及びＳＩＲ目標と実際達成されたＳＩＲの差異を示す図である。
【図４】  本発明の好適な実施態様による場合の再びＱｏＳパラメータによって制御されるＳＩＲ目標値及びＳＩＲ目標と実際に達成されたＳＩＲの差異を示す図である。
【図５】  図５(ａ)は、本発明の好適な実施態様を実行するために使用される電力制御ループシステムの一例を示すブロック図である。
図５（ｂ）は、図５（ａ）で示したアウター電力制御ループのアウター・電力ループ機能、ｆｃｎの一例を示す図である。
【図６】  図６（ａ）は、本発明の実施態様による場合の、図５（ａ）で示したアウター電力制御ループアルゴリズムを実施するために利用することができるアウターループアルゴリズムの一例を示した図である。
図６（ｂ）は、図６（ａ）で示したアウターループアルゴリズムのための様々なマッピング機能を例示する図である。
【図７】  図５（ａ）で示されたアウターループアルゴリズムを実施するために利用することができる方法の第二例を示すフローチャートである。
【図８】  図５（ａ）で示されたアウターループアルゴリズムを実施するために利用することができる方法の第三例を示すフローチャートである。
【図１】
0004513081.tif 000002
【図２】
0004513081.tif 000003
【図３】
0004513081.tif 000004
【図４】
0004513081.tif 000005
【図５】
0004513081.tif 000006
【図６】
0004513081.tif 000007
【図７】
0004513081.tif 000008
【図８】
0004513081.tif 000009